(57)【要約】【課題】大容量で、重量の大きな蓄電池などに対応することができる建物用設備設置構造を提供する。【解決手段】建物１の屋外側に、建物用設備としての蓄電池６を設置するための建物用設備設置構造であって、建物１に隣接して蓄電池６が設置されており、蓄電池６の周囲には、隙間をあけて、屋根部１２１、正面壁部１２２、通気孔を有する側壁部１２３，１２３、及び基枠部１２５とから成るカバー１２が設置された構成とされている。【選択図】図１
2014001566.tif 000002
【特許請求の範囲】
【請求項１】
建物の屋外側に建物用設備を設置するための建物用設備設置構造であって、
前記建物に隣接して前記建物用設備が設置されており、
当該建物用設備の周囲には、隙間をあけて、少なくとも屋根部、正面壁部、及び通気孔を有する側壁部とから成るカバーが設置されていることを特徴とする建物用設備設置構造。
【請求項２】
前記カバーは、前記建物に面する側の背面壁部が省略されていることを特徴とする請求項１に記載の建物用設備設置構造。
【請求項３】
前記カバーは、前記建物に面する側の背面壁部を有することを特徴とする請求項１に記載の建物用設備設置構造。
【請求項４】
前記カバーには、メンテナンス用の点検口の点検口用蓋が着脱可能に設けられていることを特徴とする請求項１乃至３のいずれか１項に記載の建物用設備設置構造。
【請求項５】
前記カバーの下部には高さ調整機構が設けられていることを特徴とする請求項１乃至４のいずれか１項に記載の建物用設備設置構造。
【請求項６】
前記建物用設備及び前記カバーは、前記建物の建物本体下部の建物基礎に隣接した建物用設備設置用基礎の上に設置されていることを特徴とする請求項１乃至５のいずれか１項に記載の建物用設備設置構造。
【請求項７】
前記建物用設備設置用基礎は、前記建物基礎の設けられた地盤面より高く該建物基礎よりも低いことを特徴とする請求項６に記載の建物用設備設置構造。
【請求項８】
前記建物用設備は、架台を介して、前記建物用設備設置用基礎の上に設置されていることを特徴とする請求項６又は７に記載の建物用設備設置構造。
【請求項９】
前記架台は、前記建物用設備設置用基礎にアンカーボルトで固定されていることを特徴とする請求項８に記載の建物用設備設置構造。
【請求項１０】
前記建物基礎の上端部と前記建物の外壁との間には壁内換気用の隙間が設けられていることを特徴とする請求項７乃至９のいずれか１項に記載の建物用設備設置構造。
【請求項１１】
前記建物基礎の上端部には、水切り材が設けられていることを特徴とする請求項１０に記載の建物用設備設置構造。
【請求項１２】
前記建物用設備設置用基礎の内部に中空部を有することを特徴とする請求項６乃至１１のいずれか１項に記載の建物用設備設置構造。
【請求項１３】
前記建物用設備設置用基礎の内部に軽量化部材が設けられていることを特徴とする請求項６乃至１１のいずれか１項に記載の建物用設備設置構造。
【請求項１４】
建物の屋外側に建物用設備を設置するための建物用設備設置構造に用いられるカバーであって、
前記建物用設備の周囲を覆う、少なくとも屋根部、正面壁部、及び通気孔を有する側壁部とから成ることを特徴とする建物用設備設置構造に用いられるカバー。
【請求項１５】
前記建物に面する側の背面壁部が省略されていることを特徴とする請求項１４に記載の建物用設備設置構造に用いられるカバー。
【請求項１６】
前記建物に面する側の背面壁部を有することを特徴とする請求項１４に記載の建物用設備設置構造に用いられるカバー。
【請求項１７】
メンテナンス用の点検口の点検口用蓋が着脱可能に設けられていることを特徴とする請求項１４乃至１６のいずれか１項に記載の建物用設備設置構造に用いられるカバー。
【請求項１８】
下部には高さ調整機構が設けられていることを特徴とする請求項１４乃至１７のいずれか１項に記載の建物用設備設置構造に用いられるカバー。
【発明の詳細な説明】
【技術分野】
【０００１】
本発明は、建物の屋外側に蓄電池などの建物用設備を設置するための建物用設備設置構造、及びこの建物用設備設置構造に用いられるカバーに関するものである。
【背景技術】
【０００２】
従来から、安定した温度環境等を考慮して、建物の屋外側に建物用設備としての蓄電池を設置することがなされている（特許文献１等を参照）。
【０００３】
また、蓄電池を収納庫内に収納して設置することも提案されている（特許文献２等を参照）。
【先行技術文献】
【特許文献】
【０００４】
【特許文献１】特開２００２−０８１７６５号公報
【特許文献２】特開２０１１−１５３４５９号公報
【発明の概要】
【発明が解決しようとする課題】
【０００５】
しかしながら、特許文献１のような従来の建物用設備設置構造では、蓄電池の重量が比較的小さい場合を想定していたため、日除けや雪除けのためには周囲に簡単なカバーを設置すれば対応できたが、近年では、建物に設置される蓄電池の大容量化が進み、その重量も大きくなってきているので、これに対応しきれなくなってきた。
【０００６】
また、特許文献２のような従来の建物用設備設置構造では、蓄電池が収納庫内で宙に浮いた状態に固定されているため、耐震性等を考慮すると、蓄電池の重量が中位のものまでしか対応することができない。
【０００７】
そこで、本発明は、大容量で重量の大きな蓄電池などに対応することができる建物用設備設置構造、及びこの建物用設備設置構造に用いられるカバーを提供することを目的としている。
【課題を解決するための手段】
【０００８】
前記目的を達成するために、本発明の建物用設備設置構造は、建物の屋外側に建物用設備を設置するための建物用設備設置構造であって、前記建物に隣接して前記建物用設備が設置されており、当該建物用設備の周囲には、隙間をあけて、少なくとも屋根部、正面壁部、及び通気孔を有する側壁部とから成るカバーが設置されていることを特徴とする。
【０００９】
ここで、前記カバーは、前記建物に面する側の背面壁部が省略されていてもよい。
【００１０】
また、前記カバーは、前記建物に面する側の背面壁部を有していてもよい。
【００１１】
さらに、前記カバーには、メンテナンス用の点検口の点検口用蓋が着脱可能に設けられているとよい。
【００１２】
また、前記カバーの下部には高さ調整機構が設けられているとよい。
【００１３】
さらに、前記建物用設備及び前記カバーは、前記建物の建物本体下部の建物基礎に隣接した建物用設備設置用基礎の上に設置されているとよい。
【００１４】
また、前記建物用設備設置用基礎は、前記建物基礎の設けられた地盤面より高く該建物基礎よりも低いとよい。
【００１５】
さらに、前記建物用設備は、架台を介して、前記建物用設備設置用基礎の上に設置されているとよい。
【００１６】
また、前記架台は、前記建物用設備設置用基礎にアンカーボルトで固定されているとよい。
【００１７】
さらに、前記建物基礎の上端部と前記建物の外壁との間には壁内換気用の隙間が設けられているとよい。
【００１８】
ここで、前記建物基礎の上端部には、水切り材が設けられているとよい。
【００１９】
また、前記建物用設備設置用基礎の内部に中空部を有していてもよい。
【００２０】
さらに、前記建物用設備設置用基礎の内部に軽量化部材が設けられていてもよい。
【００２１】
本発明の建物用設備設置構造に用いられるカバーは、建物の屋外側に建物用設備を設置するための建物用設備設置構造に用いられるカバーであって、前記建物用設備の周囲を覆う、少なくとも屋根部、正面壁部、及び通気孔を有する側壁部とから成ることを特徴とする。
【００２２】
ここで、前記建物に面する側の背面壁部が省略されていてもよい。
【００２３】
また、前記建物に面する側の背面壁部を有していてもよい。
【００２４】
また、メンテナンス用の点検口の点検口用蓋が着脱可能に設けられているとよい。
【００２５】
さらに、下部には高さ調整機構が設けられているとよい。
【発明の効果】
【００２６】
このような本発明の建物用設備設置構造は、建物の屋外側に建物用設備を設置するための建物用設備設置構造であって、建物に隣接して建物用設備が設置されており、建物用設備の周囲には、隙間をあけて、少なくとも屋根部、正面壁部、及び通気孔を有する側壁部とから成るカバーが設置された構成とされている。
【００２７】
こうした構成なので、建物用設備の日除けや雪除けが簡易に行えるうえに、対向する側壁部が有する通気孔を通して風がよく通り、建物用設備からの排熱を効率的に排出することができるため、大容量で重量の大きな蓄電池などの建物用設備に対応することができる。
【００２８】
ここで、カバーは、建物に面する側の背面壁部が省略されている場合は、背面壁部を省略する分、安価となり、さらに背面からの通気性も良く、主に日除けだけを考慮すればよい地域で実施するのに適している。
【００２９】
また、カバーは、建物に面する側の背面壁部を有する場合は、背面壁部によりカバーの内側に雪が入り込むのを防止でき、主に豪雪地域で実施するのに適している。
【００３０】
さらに、カバーには、メンテナンス用の点検口の点検口用蓋が着脱可能に設けられている場合は、点検口用蓋を取り外して、蓄電池などの建物用設備のフィルターの清掃や交換等のメンテナンスを容易に行うことができる。
【００３１】
また、カバーの下部には高さ調整機構が設けられている場合は、カバー内部の蓄電池などの建物用設備の特に高さがメーカーにより微妙に異なるときなどにも対処できるうえに、蓄電池などの建物用設備の配線等に必要な隙間を確保することもできる。
【００３２】
さらに、建物用設備及びカバーは、建物の建物本体下部の建物基礎に隣接した建物用設備設置用基礎の上に設置されている場合は、建物用設備設置用基礎により大容量で重量の大きな蓄電池などの建物用設備をしっかりと支持することができる。
【００３３】
また、建物用設備設置用基礎は、建物基礎の設けられた地盤面より高く建物基礎よりも低い場合は、建物用設備が設置される位置が地盤面よりも高くなるため、浸水の被害を防止することができるうえに、建物用設備設置用基礎は建物基礎よりも低いため、建物基礎と建物本体の外壁との間に、水切り材や化粧材などを通常通り取り付けることができ、さらに建物用設備設置用基礎から建物本体に雨水が流れ込むこともない。
【００３４】
さらに、建物用設備は、架台を介して、建物用設備設置用基礎の上に設置されている場合は、この架台の高さ分、さらに建物用設備が設置される位置が地盤面よりも高くなるうえに、この架台の内部の空間を利用して建物用設備からの配線等を容易に行うことができる。
【００３５】
また、架台は、建物用設備設置用基礎にアンカーボルトで固定されている場合は、架台に大きな引抜耐力を持たせることができるので、地震などによる大きな揺れがあっても、建物用設備の転倒を防止することができる。
【００３６】
さらに、建物基礎の上端部と建物の外壁との間には壁内換気用の隙間が設けられている場合は、建物用設備の設置に左右されずに、壁内換気が行え、建物本体の健全性を保つことができる。
【００３７】
ここで、建物基礎の上端部には、水切り材が設けられている場合は、壁内換気用の隙間から雨水が流れ込むことをより抑制することができる。
【００３８】
また、建物用設備設置用基礎の内部に中空部を有する場合は、建物用設備設置用基礎の軽量化を図ることができる。
【００３９】
さらに、建物用設備設置用基礎の内部に軽量化部材が設けられている場合は、建物用設備設置用基礎の軽量化及び耐力の向上を図ることができる。
【００４０】
このような本発明の建物用設備設置構造に用いられるカバーは、建物の屋外側に建物用設備を設置するための建物用設備設置構造に用いられるカバーであって、建物用設備の周囲を覆う、少なくとも屋根部、正面壁部、及び通気孔を有する側壁部とから成る構成とされている。
【００４１】
こうした構成なので、建物用設備の日除けや雪除けが簡易に行えるうえに、対向する側壁部が有する通気孔を通して風がよく通り、建物用設備からの排熱を効率的に排出することができる。
【００４２】
ここで、建物に面する側の背面壁部が省略されている場合は、背面壁部を省略する分、安価となり、さらに背面からの通気性も良く、主に日除けだけを考慮すればよい地域で用いるのに適している。
【００４３】
また、建物に面する側の背面壁部を有する場合は、背面壁部によりカバーの内側に雪が入り込むのを防止でき、主に豪雪地域で用いるのに適している。
【００４４】
また、メンテナンス用の点検口の点検口用蓋が着脱可能に設けられている場合は、点検口用蓋を取り外して、蓄電池などの建物用設備のフィルターの清掃や交換等のメンテナンスを容易に行うことができる。
【００４５】
さらに、下部には高さ調整機構が設けられている場合は、カバー内部の蓄電池などの建物用設備の特に高さがメーカーにより微妙に異なるときなどにも対処できるうえに、蓄電池などの建物用設備の配線等に必要な隙間を確保することもできる。
【図面の簡単な説明】
【００４６】
【図１】実施例１の建物用設備設置構造を備えた建物の概略構成を説明する説明図である。
【図２】図１の建物用設備設置構造部分の正面図である。
【図３】実施例１の建物用設備設置構造のカバーの脚部周辺を示す拡大図である。
【図４】実施例２の建物用設備設置構造を備えた建物の概略構成を説明する説明図である。
【図５】実施例３の建物用設備設置構造を備えた建物の概略構成を説明する説明図である。
【図６】実施例４の建物用設備設置構造を備えた建物の概略構成を説明する説明図である。
【発明を実施するための形態】
【００４７】
以下、本発明を実施するための形態を、図面に示す実施例１〜４に基づいて説明する。
【実施例１】
【００４８】
先ず、実施例１の構成について説明する。
【００４９】
図１及び図２は、実施例１の建物用設備設置構造を備えた建物１の概略構成を示している。
【００５０】
まず、この建物１は、地盤に打設された建物基礎１Ｂの上に建物本体１Ａが構築されて成る。
【００５１】
そして、建物基礎１Ｂに隣接して、内部に鉄筋（図示せず）が設けられた建物用設備設置用基礎としての蓄電池設置用基礎２が打設されて設けられている。
【００５２】
ここで、この蓄電池設置用基礎２の高さは、地盤面より３２０ｍｍ高く、建物基礎１Ｂよりも８０ｍｍ低くなるように設定されている。
【００５３】
なお、実証試験を行ったところ、この蓄電池設置用基礎２の高さは、建物基礎１Ｂよりも３０ｍｍ〜２００ｍｍ低く設定すると、建物１の外壁１１の下端部と建物基礎１Ｂの上端部との間に形成された壁内換気用の隙間３から水が浸入し難いことが確認された。
【００５４】
また、この実施例１のように、建物基礎１Ｂの上端部に水切り材４を設けると、より水が浸入し難いことも確認された。
【００５５】
そして、壁内換気用の隙間３からの換気を阻害しないように、外壁１１から間隔をあけて、蓄電池設置用基礎２の上に、架台５を介して、大容量で重量の大きな建物用設備としての蓄電池６が設置されている。
【００５６】
ここで、架台５は、アンカーボルト７，・・・により蓄電池設置用基礎２に固定されている。
【００５７】
また、蓄電池６は、その脚部が架台５の上面にボルトとナットにより固定されている。
【００５８】
なお、蓄電池設置用基礎２の下部には、支持力を大きくするための支持杭８が設けられている。
【００５９】
さらに、蓄電池６の周囲には、カバー１２が設置されている。
【００６０】
このカバー１２は、鋼製の屋根部１２１と正面壁部１２２と側壁部１２３，１２３と基枠部１２５とから成る。
【００６１】
ここで、基枠部１２５は１つの部材から成るが、屋根部１２１、正面壁部１２２、及び側壁部１２３，１２３は、それぞれ２つの部材から成り、互いを穴部と爪部との引掛け結合により、カバー１２が組み立てられている。
【００６２】
また、正面から見て、右側の側面部１２３の下側には、点検口１４の点検口用蓋１２３Ａが着脱可能に設けられている。
【００６３】
ここで、点検口用蓋１２３Ａには取手が設けられており、この取手を用いて穴部と爪部との引掛け結合の解除が容易になっている。
【００６４】
また、側壁部１２３，１２３には、一部のみ図示したが、パンチングメタルが用いられており、このパンチング孔が通気孔となっている。
【００６５】
なお、カバー１２は、建物１に面する側の背面壁部は省略されている。
【００６６】
さらに、基枠部１２５の四隅には、蓄電池設置用基礎２の表面から１４０ｍｍの高さに支持する脚部１３，・・・が設けられている。
【００６７】
ここで、カバー１２の脚部１３，・・・には、図３に示したように、基枠部１２５から鉛直下方に突出したボルト軸部１３１と、このボルト軸部１３１が螺合される蓄電池設置用基礎２の表面に固定された支持部１３３と、高さ調整用のナット部１３２とから成る高さ調整機構１３０が設けられている。
【００６８】
この高さ調整機構１３０は、ナット部１３２をレンチなどで回すことによりカバー１２の高さの微調整が行えるセパレータと略同じ仕組みのものである。
【００６９】
なお、支持部１３３は、カバー１２の転倒防止のために、アンカーボルト１５，・・・により蓄電池設置用基礎２に固定されている。
【００７０】
次に、実施例１の作用効果について説明する。
【００７１】
このような実施例１の建物用設備設置構造は、建物１の屋外側に建物用設備としての蓄電池６を設置するための建物用設備設置構造であって、建物１に隣接して蓄電池６が設置されており、蓄電池６の周囲には、隙間をあけて、屋根部１２１、正面壁部１２２、通気孔を有する側壁部１２３，１２３、及び基枠部１２５とから成るカバー１２が設置された構成とされている。
【００７２】
こうした構成なので、建物用設備としての蓄電池６の日除けや雪除けが簡易に行えるうえに、対向する側壁部１２３，１２３が有する通気孔を通して風がよく通り、建物用設備としての蓄電池６からの排熱を効率的に排出することができるため、建物用設備としての大容量で重量の大きな蓄電池６に対応することができる。
【００７３】
ここで、カバー１２は、建物１に面する側の背面壁部が省略されている。
【００７４】
このため、背面壁部を省略する分、安価となり、さらに背面からの通気性も良く、主に日除けだけを考慮すればよい地域で実施するのに適している。
【００７５】
また、カバー１２には、メンテナンス用の点検口１４の点検口用蓋１２３Ａが着脱可能に設けられている。
【００７６】
このため、点検口用蓋１２３Ａを取り外して、建物用設備としての蓄電池６のフィルターの清掃や交換等のメンテナンスを容易に行うことができる。
【００７７】
さらに、カバー１２の下部には高さ調整機構１３０が設けられている。
【００７８】
このため、カバー１２内部の建物用設備としての蓄電池６の特に高さがメーカーにより微妙に異なるときなどにも対処できるうえに、建物用設備としての蓄電池６の配線等に必要な隙間を確保することもできる。
【００７９】
また、建物用設備としての蓄電池６及びカバー１２は、建物１の建物本体１Ａ下部の建物基礎１Ｂに隣接した建物用設備設置用基礎としての蓄電池設置用基礎２の上に設置されている。
【００８０】
このため、蓄電池設置用基礎２により建物用設備としての大容量で重量の大きな蓄電池６をしっかりと支持することができる。
【００８１】
さらに、蓄電池設置用基礎２は、建物基礎１Ａの設けられた地盤面より高く建物基礎１Ｂよりも低い。
【００８２】
このため、建物用設備としての蓄電池６が設置される位置が地盤面よりも高くなるため、浸水の被害を防止することができるうえに、蓄電池設置用基礎２は建物基礎１Ｂよりも低いため、建物基礎１Ｂと建物本体１Ａの外壁１１との間に、水切り材４や化粧材（図示せず）などを通常通り取り付けることができ、さらに蓄電池設置用基礎２から建物本体１Ａに雨水が流れ込むこともない。
【００８３】
また、蓄電池６は、架台５を介して、蓄電池設置用基礎２の上に設置されている。
【００８４】
このため、この架台５の高さ分、さらに蓄電池６が設置される位置が地盤面よりも高くなるうえに、この架台５の内部の空間を利用して蓄電池６からの配線等を容易に行うことができる。
【００８５】
さらに、架台５は、蓄電池設置用基礎２にアンカーボルト７，・・・で固定されている。
【００８６】
このため、架台５に大きな引抜耐力を持たせることができるので、地震などによる大きな揺れがあっても、蓄電池６の転倒を防止することができる。
【００８７】
また、建物基礎１Ｂの上端部と建物１の外壁１１との間には壁内換気用の隙間３が設けられている。
【００８８】
このため、蓄電池６の設置に左右されずに、壁内換気が行え、建物本体１Ａの健全性を保つことができる。
【００８９】
さらに、建物基礎１Ｂの上端部には、水切り材４が設けられている。
【００９０】
このため、壁内換気用の隙間３から雨水が流れ込むことをより抑制することができる。
【００９１】
このような実施例１の建物用設備設置構造に用いられるカバー１２は、建物１の屋外側に建物用設備としての蓄電池６を設置するための建物用設備設置構造に用いられるカバーであって、建物用設備としての蓄電池６の周囲を覆う、屋根部１２１、正面壁部１２２、通気孔を有する側壁部１２３，１２３、及び基枠部１２５とから成る構成とされている。
【００９２】
こうした構成なので、建物用設備としての蓄電池６の日除けや雪除けが簡易に行えるうえに、対向する側壁部１２３，１２３が有する通気孔を通して風がよく通り、建物用設備としての蓄電池６からの排熱を効率的に排出することができる。
【００９３】
ここで、建物１に面する側の背面壁部が省略されている。
【００９４】
このため、背面壁部を省略する分、安価となり、さらに背面からの通気性も良く、主に日除けだけを考慮すればよい地域で用いるのに適している。
【００９５】
また、メンテナンス用の点検口１４の点検口用蓋１２３Ａが着脱可能に設けられている。
【００９６】
このため、点検口用蓋１２３Ａを取り外して、建物用設備としての蓄電池６のフィルターの清掃や交換等のメンテナンスを容易に行うことができる。
【００９７】
さらに、下部には高さ調整機構１３０が設けられている。
【００９８】
このため、カバー１２内部の建物用設備としての蓄電池６の特に高さがメーカーにより微妙に異なるときなどにも対処できるうえに、建物用設備としての蓄電池６の配線等に必要な隙間を確保することもできる。
【実施例２】
【００９９】
次に、実施例２について説明する。
【０１００】
なお、実施例１で説明した内容と同一乃至均等な部分の説明については同一符号を付して説明する。
【０１０１】
図４は、実施例２の建物用設備設置構造を備えた建物１の概略構成を示している。
【０１０２】
この実施例２の建物用設備設置構造では、カバー１２の建物１に面する側の背面壁部１２４が設けられていることが実施例１の建物用設備設置構造と主に異なる。
【０１０３】
このため、背面壁部１２４によりカバー１２の内側に雪が入り込むのを防止でき、主に豪雪地域で実施するのに適している。
【０１０４】
なお、他の構成及び作用効果については、実施例１と略同様であるので説明を省略する。
【実施例３】
【０１０５】
次に、実施例３について説明する。
【０１０６】
なお、実施例１で説明した内容と同一乃至均等な部分の説明については同一符号を付して説明する。
【０１０７】
図５は、実施例３の建物用設備設置構造を備えた建物１の概略構成を示している。
【０１０８】
この実施例３の建物用設備設置構造では、建物用設備設置用基礎としての蓄電池設置用基礎２の内部に中空部９を有することが実施例１の建物用設備設置構造と主に異なる。
【０１０９】
このため、中空部９を有する分、蓄電池設置用基礎２の軽量化を図ることができる。
【０１１０】
なお、他の構成及び作用効果については、実施例１と略同様であるので説明を省略する。
【実施例４】
【０１１１】
次に、実施例４について説明する。
【０１１２】
なお、実施例１で説明した内容と同一乃至均等な部分の説明については同一符号を付して説明する。
【０１１３】
図６は、実施例４の建物用設備設置構造を備えた建物１の概略構成を示している。
【０１１４】
この実施例４の建物用設備設置構造では、建物用設備設置用基礎としての蓄電池設置用基礎２の内部に軽量化部材（ＥＰＳ材）１０が設けられていることが実施例１の建物用設備設置構造と主に異なる。
【０１１５】
このため、軽量化部材（ＥＰＳ材）１０を設けた分、蓄電池設置用基礎２の軽量化及び耐力（特に圧縮耐力）の向上を図ることができる。
【０１１６】
なお、他の構成及び作用効果については、実施例１と略同様であるので説明を省略する。
【０１１７】
以上、図面を参照して、本発明を実施するための形態を実施例１〜４に基づいて詳述してきたが、具体的な構成は、これら実施例１〜４に限らず、本発明の要旨を逸脱しない程度の設計的変更は、本発明に含まれる。
【０１１８】
例えば、上記した実施例１〜４では、カバー１２として鋼製のものを用いて実施したが、これに限定されず、他の材質のもので実施してもよい。
【０１１９】
また、上記した実施例１〜４では、側壁部１２３，１２３としてパンチングメタルを用い、パンチング孔を通気孔として実施したが、これに限定されず、例えば、側壁部１２３，１２３として、通気孔となるスリット孔を有する板状のものを用いたり、通気孔となるメッシュ孔を有するメッシュ板を用いたりして実施してもよい。
【０１２０】
また、上記した実施例１〜４では、架台５を設けて実施したが、これに限定されず、架台５を設けずに実施してもよい。
【０１２１】
さらに、上記した実施例１〜４では、建物用設備として、蓄電池６を用いて実施したが、これに限定されず、例えば、給湯機やエアーコンディショナの室外機などを用いて実施してもよい。
【０１２２】
また、上記した実施例１〜４では、建物用設備設置用基礎としての蓄電池設置用基礎２を打設して実施したが、これに限定されず、例えば、建物用設備設置用基礎としての蓄電池設置用基礎２として、工場等で製造したプレキャスト部材を用いて実施してもよい。
【０１２３】
さらに、上記した実施例４では、軽量化部材１０としてＥＰＳ材を用いて実施したが、これに限定されず、例えば、ＥＰＳ材に代えて土などを用いて実施してもよい。
【符号の説明】
【０１２４】
１        建物
１Ａ      建物本体
１Ｂ      建物基礎
２        蓄電池設置用基礎（建物用設備設置用基礎）
３        壁内換気用の隙間
４        水切り材
５        架台
６        蓄電池（建物用設備）
７        アンカーボルト
８        支持杭
９        中空部
１０      軽量化部材
１１      外壁
１２      カバー
１２１    屋根部
１２２    正面壁部
１２３    側壁部
１２３Ａ  点検口用蓋
１２４    背面壁部
１２５    基枠部
１３      脚部
１３０    高さ調整機構
１３１    ボルト軸部
１３２    ナット部
１３３    支持部
１４      点検口
１５      アンカーボルト
【図１】
2014001566.tif 000003
【図２】
2014001566.tif 000004
【図３】
2014001566.tif 000005
【図４】
2014001566.tif 000006
【図５】
2014001566.tif 000007
【図６】
2014001566.tif 000008
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
建物の屋外側に建物用設備としての蓄電池を設置するための建物用設備設置構造であって、
前記建物に隣接して前記建物用設備としての蓄電池が設置されており、
当該建物用設備としての蓄電池の周囲には、隙間をあけて、少なくとも屋根部、正面壁部、及び通気孔を有する側壁部とから成るカバーが設置されており、
前記カバーの一方の側壁部の下側には、メンテナンス用の点検口が設けられ、該点検口には、通気孔を有する点検口用蓋が着脱可能に設けられていることを特徴とする建物用設備設置構造。
【請求項２】
前記カバーは、前記建物に面する側の背面壁部が省略されていることを特徴とする請求項１に記載の建物用設備設置構造。
【請求項３】
前記カバーは、前記建物に面する側の背面壁部を有することを特徴とする請求項１に記載の建物用設備設置構造。
設置構造。
【請求項４】
前記カバーの下部には高さ調整機構が設けられていることを特徴とする請求項１乃至３のいずれか１項に記載の建物用設備設置構造。
【請求項５】
前記建物用設備及び前記カバーは、前記建物の建物本体下部の建物基礎に隣接した建物用設備設置用基礎の上に設置されていることを特徴とする請求項１乃至４のいずれか１項に記載の建物用設備設置構造。
【請求項６】
前記建物用設備設置用基礎は、前記建物基礎の設けられた地盤面より高く該建物基礎よりも低いことを特徴とする請求項５に記載の建物用設備設置構造。
【請求項７】
前記建物用設備は、架台を介して、前記建物用設備設置用基礎の上に設置されていることを特徴とする請求項５又は６に記載の建物用設備設置構造。
【請求項８】
前記架台は、前記建物用設備設置用基礎にアンカーボルトで固定されていることを特徴とする請求項７に記載の建物用設備設置構造。
【請求項９】
前記建物基礎の上端部と前記建物の外壁との間には壁内換気用の隙間が設けられていることを特徴とする請求項６乃至８のいずれか１項に記載の建物用設備設置構造。
【請求項１０】
前記建物基礎の上端部には、水切り材が設けられていることを特徴とする請求項９に記載の建物用設備設置構造。
【請求項１１】
前記建物用設備設置用基礎の内部に中空部を有することを特徴とする請求項５乃至１０のいずれか１項に記載の建物用設備設置構造。
【請求項１２】
前記建物用設備設置用基礎の内部に軽量化部材が設けられていることを特徴とする請求項５乃至１０のいずれか１項に記載の建物用設備設置構造。
【請求項１３】
建物の屋外側に建物用設備としての蓄電池を設置するための建物用設備設置構造に用いられるカバーであって、
前記建物用設備としての蓄電池の周囲を覆う、少なくとも屋根部、正面壁部、及び通気孔を有する側壁部とから成り、
一方の側壁部の下側には、メンテナンス用の点検口が設けられ、該点検口には、通気孔を有する点検口用蓋が着脱可能に設けられていることを特徴とする建物用設備設置構造に用いられるカバー。
【請求項１４】
前記建物に面する側の背面壁部が省略されていることを特徴とする請求項１３に記載の建物用設備設置構造に用いられるカバー。
【請求項１５】
前記建物に面する側の背面壁部を有することを特徴とする請求項１３に記載の建物用設備設置構造に用いられるカバー。
【請求項１６】
下部には高さ調整機構が設けられていることを特徴とする請求項１３乃至１５のいずれか１項に記載の建物用設備設置構造に用いられるカバー。